(57)【要約】【課題】施術突起を清潔な状態で維持することが可能な頭皮ケア装置を提供する。【解決手段】頭皮ケア装置１には、使用者の頭皮と接触するとともにモータ１３の駆動により動作される施術突起２４にて頭皮に刺激を付与する頭皮ケア装置本体１０と、非使用状態において施術突起が床面Ｆ等の他部材に対して非接触となるように頭皮ケア装置本体１０を支持する支持台３０とが備えられる。支持台３０は、液体排出用の排出孔３５と、この排出孔３５周囲に排出孔３５側に傾斜する傾斜面３６とを有する。【選択図】図１
2011251088.tif 000002
【特許請求の範囲】
【請求項１】
使用者の頭皮と接触し、駆動源の駆動により動作される施術突起にて前記頭皮に刺激を付与する頭皮ケア装置本体と、
非使用状態において前記施術突起が他部材に対して非接触となるように前記頭皮ケア装置本体を支持する支持体と
を備えたことを特徴とする頭皮ケア装置。
【請求項２】
請求項１に記載の頭皮ケア装置において、
前記支持体は、液体排出用の排出孔と、該排出孔周囲に該排出孔側に傾斜する傾斜面とを有することを特徴とする頭皮ケア装置。
【請求項３】
請求項１又は２に記載の頭皮ケア装置において、
前記施術突起は、前記駆動源によって回転されるとともに、該施術突起の突出方向と直交する方向に凸状をなす凸部が形成されたことを特徴とする頭皮ケア装置。
【請求項４】
請求項１〜３のいずれか一項に記載の頭皮ケア装置において、
前記支持体と前記頭皮ケア装置本体とが一体に構成されたことを特徴とする頭皮ケア装置。
【請求項５】
駆動源の駆動により動作される施術突起を有する頭皮ケア装置本体を非使用状態において前記施術突起が他部材に対して非接触となるように支持可能に構成されたことを特徴とする頭皮ケア装置用支持体。
【請求項６】
請求項５に記載の頭皮ケア装置用支持体において、
液体排出用の排出孔と、該排出孔の周囲において該排出孔側に傾斜する傾斜面と備えたことを特徴とする頭皮ケア装置用支持体。
【発明の詳細な説明】
【技術分野】
【０００１】
本発明は、例えば、頭皮の活性化を図るための頭皮ケア装置及び頭皮ケア装置用支持体に関するものである。
【背景技術】
【０００２】
従来、例えば特許文献１の頭皮ケア装置では、施術突起を有する施術子が駆動源の駆動により動作するように構成されており、動作する施術子の施術突起を頭皮に接触させて刺激を与えることで、血流促進等の頭皮のケア効果が得られるようになっている。
【先行技術文献】
【特許文献】
【０００３】
【特許文献１】特開２００７−２２９１５９号公報
【発明の概要】
【発明が解決しようとする課題】
【０００４】
ところで、上記のような頭皮ケア装置では、例えば洗髪等で使用することがあるため、浴室内等の水気の多いところでの使用が想定される。このため、頭皮ケア装置の施術突起に水垢が付着してしまい頭皮ケア装置自体を清潔に保つことができない虞がある。
【０００５】
本発明は、上記課題を解決するためになされたものであって、その目的は、施術突起を清潔な状態で維持することが可能な頭皮ケア装置及び頭皮ケア装置用支持体を提供することにある。
【課題を解決するための手段】
【０００６】
上記課題を解決するために、本発明の頭皮ケア装置は、使用者の頭皮と接触し、駆動源の駆動により動作される施術突起にて前記頭皮に刺激を付与する頭皮ケア装置本体と、非使用状態において前記施術突起が他部材に対して非接触となるように前記頭皮ケア装置本体を支持する支持体とを備えたことを特徴とする。
【０００７】
また上記構成において、支持体は、液体排出用の排出孔と、この排出孔周囲に排出孔側に傾斜する傾斜面とを有することが好ましい。
また上記構成において、施術突起は、駆動源によって回転されるとともに、施術突起の突出方向と直交する方向に凸状をなす凸部が形成されることが好ましい。
【０００８】
また上記構成において、支持体と頭皮ケア装置本体とが一体に構成されることが好ましい。
本発明の頭皮ケア装置用支持体は、駆動源の駆動により動作される施術突起を有する頭皮ケア装置本体を非使用状態において施術突起が他部材に対して非接触となるように支持可能に構成されたことを特徴とする。
【０００９】
また上記構成において、頭皮ケア装置本体に付着した液体を排出する液体排出用の排出孔と、この排出孔の周囲に排出孔側に傾斜する傾斜面と備えることが好ましい。
【発明の効果】
【００１０】
本発明によれば、施術突起を清潔な状態で維持することが可能な頭皮ケア装置及び頭皮ケア装置用支持体を提供することができる。
【図面の簡単な説明】
【００１１】
【図１】本実施形態における頭皮ケア装置の概略構成図である。
【図２】（ａ）（ｂ）は、施術突起について説明するための上面図である。
【図３】（ａ）（ｂ）は、施術突起について説明するための側面図である。
【図４】（ａ）（ｂ）は支持台が一体構成された頭皮ケア装置の概略構成図であり、（ｃ）は支持台が一体構成された頭皮ケア装置の下面図である。
【図５】支持台が一体構成された頭皮ケア装置の概略構成図である。
【図６】頭皮ケア装置の概略構成図である。
【発明を実施するための形態】
【００１２】
以下、本発明を具体化した一実施形態を図面に従って説明する。
図１に示すように、本実施の形態の頭皮ケア装置１は、頭皮ケア装置本体１０と、この装置本体１０を使用者が使用しない際に載置することができる支持台３０とを備える。
【００１３】
頭皮ケア装置本体１０は、把持可能な本体ハウジング１１と、この本体ハウジング１１の上部に構成される略円柱状の２つの施術子２１とを備えている。本体ハウジング１１の側面には使用者が頭皮ケア装置本体１０のオンオフ操作を行う電源スイッチ１２が設けられている。
【００１４】
本体ハウジング１１の内部にはモータ１３が収容されるとともに、このモータ１３は本体ハウジング１１に収容された制御部１４と電気的に接続されている。制御部１４は、本体ハウジング１１内に収容された電源部１５及び前記電源スイッチ１２と電気的に接続されている。
【００１５】
モータ１３のモータ軸１３ａ先端には駆動ギヤ１３ｂが取り付けられている。一方、本体ハウジング１１に設けられたベアリング１６により回転可能に支持された２つの回転軸１７ａには、その基端部にギヤ１７ｂがそれぞれ取り付けられている。各ギヤ１７ｂのうちの一方（図１において右側のギヤ）はモータ１３の駆動ギヤ１３ｂと噛合されるとともに、もう一方（図１において左側のギヤ）は前記駆動ギヤ１３ｂと噛合する中間ギヤ１８と噛合されている。これにより、モータ軸１３ａの回転が各ギヤ１７ｂに伝達されるようになっている。なお、中間ギヤ１８は、一体回転可能に固定された支軸１８ａが本体ハウジング１１に設けられたベアリング１８ｂに回転可能に支持されている。
【００１６】
ギヤ１７ｂと一体回転する回転軸１７ａの先端部は、本体ハウジング１１から突出するとともに、その突出部分には円盤状の回転部材１９がそれぞれ固定されている。回転部材１９は、その中心部に前記回転軸１７ａが一体回転可能に固定されるとともに、回転部材１９の上面に固定された支持部材２０にはそれぞれ施術子２１が支持されている。
【００１７】
施術子２１は、前記支持部材２０に対して支持されたベース部２３と、このベース部２３に支持される複数（図１において２つずつ図示）の施術突起２４とを有している。
各施術突起２４は、例えば可撓性を有するエラストマで構成されるとともに、先細形状とされその先端部は突出方向と反対側に凹状をなす球面上の凹部が形成されている。このため、使用者の頭部（頭皮）の形状に倣った形状とされている。また、各施術突起２４は回転中心である前記回転軸１７ａの軸線Ｌ１からその軸線Ｌ１と直交する方向に等距離となるようにそれぞれ配設されている。つまり、各施術突起２４の配置中心が軸線Ｌ１上となるよう設定されている。なお、施術子２１の回転中心が前記軸線Ｌ１上に設定されている。
【００１８】
上記のように構成された頭皮ケア装置本体１０では、電源スイッチ１２が使用者によってオン操作されると、制御部１４はその電源スイッチ１２からのオン操作信号の入力に基づいて、モータ１３（そのモータ軸１３ａ）を回転駆動させるための電力を電源部１５からモータ１３に供給する。そして、モータ１３のモータ軸１３ａが回転駆動されると、２つの回転軸１７ａ及び回転部材１９が前記軸線Ｌ１を中心として一体回転する。また、このとき、施術突起２４が軸線Ｌ１を中心として回転する。そして、施術突起２４の先端を頭皮に接触させると、施術突起２４の先端が球面状の凹部とされていること等から頭皮に密着して、施術突起２４の先端の動きに合わせて使用者の頭皮が動かされることになり、頭皮がケア（マッサージ）されることになる。
【００１９】
一方、上記のように構成された頭皮ケア装置本体１０を支持する支持台３０は、前記施術突起２４を収容可能な収容空間を有する有底筒状に形成される。支持台３０は、その底部３１下面に支持台３０全体を支持する脚部３２が形成されている。このため、支持台３０を床面Ｆに載置した際に、支持台３０の底部３１は、床面Ｆから所定距離だけ離間されるようになっている。
【００２０】
また、支持台３０の開口部寄りの側壁内周面３３には径方向内側に凸状をなす突起部３４が形成されている。この突起部３４は、前記頭皮ケア装置本体１０の本体ハウジング１１の施術子２１側の一端面を支持可能に構成されている。なお、径方向内側に凸状をなす突起部３４以外の構成により本体ハウジング１１（頭皮ケア装置本体１０）を支持する構成であってもよい。
【００２１】
また、支持台３０の底部３１には外部と連通する１つの排出孔３５が形成されるとともに、この排出孔３５の周囲には排出孔３５側に向かって傾斜する傾斜面３６が形成されている。
【００２２】
上記のように構成された頭皮ケア装置１では、例えば頭皮ケア装置本体１０を使用しない非使用状態にはその装置本体１０を支持台３０に載置することが可能に構成されている。頭皮ケア装置本体１０は、支持台３０（突起部３４）に支持されているため、施術子２１（施術突起２４）が外部の床面Ｆや支持台３０等に接触しないようになっているため、施術子２１（施術突起２４）の衛生状態を好適に保つことができる。
【００２３】
また、支持台３０の底部３１はその中央部に排出孔３５が形成されているため、頭皮ケア装置本体１０の施術子２１（施術突起２４）やその周辺等に付着していた水分が自然と施術突起２４の先端側に集まって施術突起２４先端からその水分が落ちる。なお、施術突起２４は支持台３０の収容空間内において支持台３０の内面などの頭皮ケア装置本体１０以外の部材と接触しないよう十分離間されている。ここで、施術突起２４に付着した水分が落ちる前にその水分が更に支持台３０に付着することで表面張力を増大させて施術突起２４からの水分の落ちを減速させることが考えられるが、前述したように支持台３０と施術突起２４が十分離間されているため、その懸念を抑えることができる。
【００２４】
また、施術突起２４から落ちた水分は、支持台３０の底部３１（傾斜面３６）に着水する。そして、その着水した水分が底部３１の傾斜面３６によって排出孔３５側に流れるとともに、その排出孔３５から前記水分が支持台３０の外部に排出される。また、支持台３０は脚部３２によってその底部３１が脚部３２を載置する床面Ｆよりも高い位置に設定されているため、本体ハウジング１１外部に容易に水分を排出させることができるようになっている。
【００２５】
また、支持台３０に頭皮ケア装置本体１０を載置した状態で例えば電源スイッチ１２を使用者がオン状態とすることで施術子２１（施術突起２４）を回転させて施術子２１の水分を飛散させることができるようになっている。
【００２６】
次に、本実施形態の特徴的な作用効果を記載する。
（１）本実施形態の頭皮ケア装置１には、使用者の頭皮と接触するとともにモータ１３の駆動により動作される施術突起２４にて頭皮に刺激を付与する頭皮ケア装置本体１０と、非使用状態において施術突起が床面Ｆ等の他部材に対して非接触となるように頭皮ケア装置本体１０を支持する支持台３０とが備えられる。このように、支持台３０によって施術突起２４（施術子２１）が他部材と非接触とすることができるため、施術突起２４を水分の多い床面Ｆから離間させることができる。これによって、水垢等の付着を抑えることができる。
【００２７】
（２）支持台３０は、液体排出用の排出孔３５と、この排出孔３５周囲に排出孔３５側に傾斜する傾斜面３６とを有する。このように、排出孔３５を設けることで、頭皮ケア装置本体１０（施術突起２４）から支持台３０に落下した水分を外部に排出することができる。また、排出孔３５の周囲が排出孔３５側に傾斜するよう構成されているため、水分の自重によって排出孔３５側に水分が移動されて前記排出孔３５から水分を排出することができる。またこれにより、支持台３０における施術突起２４を収容する収容空間の湿度を低減させることが可能となる。
【００２８】
（３）施術突起２４（施術子２１）が支持台３０の収容空間内に隠蔽されているため、新たに施術突起２４に水分が付着ことを抑制することができる。
尚、本発明の実施形態は、以下のように変更してもよい。
【００２９】
・上記実施形態では、支持台３０に載置された頭皮ケア装置本体１０を非使用状態においてマッサージ時（使用状態）と同様に施術子２１（施術突起２４）を回転させることで水分を飛散させる構成としたが、これに限らない。例えば、施術子２１をマッサージ時よりも高速で回転させることで水分をより多く若しくは素早く飛散させる構成を採用してもよい。
【００３０】
・上記実施形態では、支持台３０に載置された頭皮ケア装置本体１０の電源スイッチ１２を手動で操作することで施術子２１を回転させて施術子２１に付着した水分を飛散させる構成を採用したが、これに限らない。例えば支持台３０に頭皮ケア装置本体１０が載置されたことを検出する検出センサを備え、そのセンサの信号に基づいて頭皮ケア装置本体１０の施術子２１を回転させる構成を採用してもよい。
【００３１】
・上記実施形態では、特に言及していないが、例えば図２（ａ）、図３（ａ）（ｂ）に示すように施術子２１の施術突起２４の延出（突出）方向と直交する方向に凸状をなす凸部２４ａを形成してもよい。このような構成とすることで、上記実施形態のように支持台３０に頭皮ケア装置本体１０を載置した状態で施術子２１を回転させることでより好適に水分を支持台３０（径方向外側）側に飛散し易くすることができる。なお、このような構成としては、例えば図３（ｂ）に示すように前記凸部２４ａが前記施術突起２４の突出方向全体に亘って形成される構成や、例えば図３（ａ）に示すように前記凸部２４ａが施術突起２４の突出方向略中間位置に形成される構成等が考えられる。特に、図３（ｂ）の構成と比較して図３（ａ）に示すように施術突起２４の延出方向の略中間位置においてその延出方向と直交する方向に突出する凸部２４ａを形成することが望ましい。このような構成とすることで、施術突起２４の先端における使用者の頭皮との接触する際の感触を好適に保つことができる。また、上記構成のように凸部２４ａを施術突起２４に設ける構成の場合、図２（ａ）（ｂ）に示すように施術子２１の径方向外側を向くように前記凸部２４ａを設けることが望ましい。
【００３２】
・上記実施形態では、特に言及していないが、例えば図４及び図５に示すように支持体としての支持部４０（上記実施形態では支持台３０に相当）と頭皮ケア装置本体１０とを一体とした構成を採用してもよい。なお、支持部４０を頭皮ケア装置本体１０に対して手動若しくは自動でスライド可能とすることで頭皮ケア装置本体１０使用時には施術子２１を露出させるとともに、頭皮ケア装置本体１０非使用時には施術子２１を収容（隠蔽）させる構成が望ましい。
【００３３】
このような構成の一例として支持部４０を頭皮ケア装置本体１０に対して手動でスライドさせる構成を図４に示し、支持部４０を頭皮ケア装置本体１０に対して駆動源にて自動でスライドさせる構成を図５に示す。
【００３４】
図４に示すように施術突起２４の突出方向に沿ってスライドされるスライド支持部４０を備えている。スライド支持部４０はその全体が断面凹状を成すとともに、本体ハウジング１１に移動可能に設けられる側壁４１を備えている。この側壁４１には本体ハウジング１１の外側に突出するとともに使用者によって操作可能なスライドレバー４１ａが形成される。このスライドレバー４１ａをスライド操作することで頭皮ケア装置本体１０に対してスライド支持部４０をスライドすることができる。
【００３５】
また、図５に示すように前記スライド支持部４０を頭皮ケア装置本体１０に対して電力駆動するスライド機構５０によってスライドさせる構成を採用してもよい。スライド機構５０は、制御部１４と電気的に接続されてその駆動が制御されるモータ５１を有している。このモータ５１には、その回転軸５１ａの先端に駆動ギヤ５１ｂが取り付けられるとともに、この駆動ギヤ５１ｂにはその駆動が伝達される伝達ギヤ５２と噛合されている。この伝達ギヤ５２に前記モータ５１の回転駆動力が伝達されることで伝達ギヤ５２が取り付けられるねじ軸５３が回転される。このねじ軸５３は前記側壁４１の一部に形成される雌ねじが形成された嵌合穴４１ｂと噛合されているため、ねじ軸５３の回転駆動力が前記スライド支持部４０のスライド方向への移動力に変換されるようになっている。
【００３６】
・上記実施形態では、施術子２１の回転中心が回転軸１７ａの同軸線Ｌ１上に設定される構成としたが、図６に示すように回転軸１７ａの軸線Ｌ１からずれた異なる軸線Ｌ２を中心として施術子２１が回転される構成を採用してもよい。このとき、施術子２１は、支持部材２０に対してベアリング２２にて回転可能に支持されている。このような構成とすることで例えば、軸線Ｌ１方向から見て軸線Ｌ２に対する施術突起２４の位置関係が変化しない状態を保ったまま軸Ｌ１中心に回転することが可能とされている。よって、負荷（頭皮や毛髪との摩擦等）によっては、各施術突起２４が軸線Ｌ１を中心として（それぞれがそれぞれの半径で）単純に回転する運動に基づいて施術子に毛髪が絡まってしまうといった現象を回避することができる。また、本構成の２つの施術子２１は、それぞれＬ１を中心として回転する際であって、互いに近づき合うように動作する際に、それぞれの施術突起２４（の群）の間に頭皮を挟み込むようにして刺激を与えることが可能とされている。
【００３７】
・上記実施形態では、支持台３０の底部３１に排出孔３５を１つ形成する構成としたが、これに限らない。例えば図４又は図５に示すように排出孔３５を複数（図４や図５では２つ）形成する構成を採用してもよい。また、特に言及していないが排出孔３５は円形状以外（格子状など）の形状であってもよい。
【００３８】
・上記実施形態では、特に言及していないが、電源部１５を二次電池とし、頭皮ケア装置本体１０を支持台３０に載置することで充電する構成を採用してもよい。このような構成とすることで、頭皮ケア装置１としての利便性の向上に寄与することができる。
【符号の説明】
【００３９】
１…頭皮ケア装置、１０…頭皮ケア装置本体、２４…施術突起、２４ａ…凸部、３０…支持台（支持体）、３５…排出孔、３６…傾斜面、４０…スライド支持部（支持体）、Ｆ…床面（他部材）。
【図１】
2011251088.tif 000003
【図２】
2011251088.tif 000004
【図３】
2011251088.tif 000005
【図４】
2011251088.tif 000006
【図５】
2011251088.tif 000007
【図６】
2011251088.tif 000008